(57)【要約】      （修正有）【課題】ズボンの着脱が簡便なズボン吊具を提供する。【解決手段】板状の本体２の上方中心部に掛け部８と、文字などの表示部２Ａとを備え、更に、本体２の下方にズボンＰのベルトループＬを吊り下げる吊り部３が設けられており、前記吊り部３は、ベルトループＬが挿通する切欠部５と、この切欠部５の下方中心部にベルトループ支持部が形成され、更に、その支持部より延長され先端側が上方に傾斜した掬上部４が設けられている。【選択図】図４
0003148417.tif 000002
【実用新案登録請求の範囲】
【請求項１】
板状の本体（２）の上方中心部に掛け部（８）と、文字などの表示部（２Ａ）とを備え、更に、本体（２）の下方にズボン（Ｐ）のベルトループ（Ｌ）を吊り下げる吊り部（３）が設けられており、
前記吊り部（３）は、ベルトループ（Ｌ）が挿通する切欠部（５）と、この切欠部（５）の下方中心部にベルトループ支持部（６）が形成され、更に、その支持部（６）より延長され先端側が上方に傾斜した掬上部（４）が設けられていることを特徴とするズボン吊具。
【請求項２】
前記掛け部（８）は、フックまたは開孔部または横向きスリットのいずれかであることを特徴とする請求項１記載のズボン吊具。
【請求項３】
前記本体（２）はボール紙あるいは樹脂で形成され、フックは樹脂で形成されていることを特徴とする請求項１又は２に記載のズボン吊具。
【考案の詳細な説明】
【技術分野】
【０００１】
本考案は、ズボン吊具、特にジーパンの吊具に関するものである。
【背景技術】
【０００２】
一般的に紳士服等のズボンの購入の際には、店員に頼んで取り出してもらうのが普通であり、複数本のズボンを取り出して体にあてがってみたり、試着したりすることは気が引けるので、適当なものを妥協して選ぶこともあった。
【０００３】
また、紳士服等のズボンに皺がつかないように、針金等の支持棒をズボンのベルトループに挿通させ、その支持棒でベルトループを吊り下げ、ズボンが伸びた状態で展示することのできるハンガーが提案されている（例えば、特許文献１参照）。
【０００４】
しかしながら、前記ズボンハンガーは、ズボンの胴回りに所定間隔で設けられている複数のベルトループの全部に支持棒を挿通させなければならず、ズボンを着脱させる手間がかかるものである。
【０００５】
一方、デニム生地のパンツ（所謂ジーパン）は、皺や型くずれが発生しにくいことから、紳士服等のズボンとは異なり、ハンガーに設けた複数個のハサミ（摘み具）で把持されて吊り下げられていることが多い。しかしながら、ズボンの着脱の度に複数個の摘み具を操作するという手間がかかる。
【特許文献１】特開平１０−０４４７２号公報
【考案の開示】
【考案が解決しようとする課題】
【０００６】
本考案は、前記課題に鑑みてなされたものであって、ズボンの着脱が簡便なズボン吊具を提供するものである。
【課題を解決するための手段】
【０００７】
本考案に係るズボン吊具は、次のように構成されている。
【０００８】
１）  板状の本体２の上方中心部に掛け部８と、文字などの表示部２Ａとを備え、更に、本体２の下方にズボンＰのベルトループＬを吊り下げる吊り部３が設けられており、
前記吊り部３は、ベルトループＬが挿通する切欠部５と、この切欠部５の下方中心部にベルトループ支持部６が形成され、更に、その支持部６より延長され先端側が上方に傾斜した掬上部４が設けられていることを特徴としている。
【０００９】
２）  前記掛け部８は、フックまたは開孔部または横向きスリットのいずれかであることを特徴としている。
【００１０】
３）  前記本体２はボール紙あるいは樹脂で形成され、フックは樹脂で形成されていることを特徴としている。
【考案の効果】
【００１１】
板状の本体２の上方中心部に掛け部８と、文字などの表示部２Ａとを備え、更に、本体２の下方にズボンＰのベルトループＬを吊り下げる吊り部３が設けられており、前記吊り部３は、ベルトループＬが挿通する切欠部５と、この切欠部５の下方中心部にベルトループ支持部６が形成され、更に、その支持部６より延長され先端側が上方に傾斜した掬上部
４が設けられていることにより、水平方向に設けられている吊り棒Ｒに掛け部８を引掛けて陳列することができると共に、ズボンのベルトループＬを吊り部３に引掛けるだけでズボンを吊すことができ、また、吊り部３をベルトループＬから外すだけでズボンＰを取り外すことができるので、簡便な操作でズボンＰの着脱が行える。
【考案を実施するための最良の形態】
【００１２】
本発明に係るズボン吊具は、例えば、図２に示すように、水平方向に設けられている吊り棒Ｒに掛け部８を引掛けるだけでズボンＰを陳列することができるものであり、そのズボンＰのベルトループＬが吊り部３に挿通されて吊り下げている。
【００１３】
ズボン吊具１は掛け部８を介して吊り棒Ｒに着脱自在に取り付けることができ、ズボンＰは吊り部３にベルトループＬを挿通させて着脱自在に吊り下げることができるようになっている。
【００１４】
以下、図面を参照し、本考案に係るズボン吊具について、その実施態様を説明する。
【実施例１】
【００１５】
図１に示す本発明に係るズボン吊具１は、板状の本体２の上方中心部に掛け部８と、文字などの表示部２Ａとを備え、更に、本体２の下方にズボンＰのベルトループＬを吊り下げる吊り部３が設けられている。
【００１６】
また、前記吊り部３は、ベルトループＬが挿通する切欠部５と、この切欠部５の下方中心部にベルトループ支持部６が形成され、更に、その支持部６より延長され先端側が上方に傾斜した掬上部４（ベルトループの脱落防止部）が設けられている。
【００１７】
更には、前記掛け部８と支持部６とは、本体２の重心を上下に通る直線Ｋ上に形成されており、ズボンＰを吊り部３に引掛けた状態において、支持部６が水平状となると共に掬上部４が上方に傾斜し、掬上部４によりベルトループＬが脱落しないようになると共にベルトループＬが支持部６に安定的に支持されるようになっている。
【００１８】
また、例えば、図７に示すように、ズボンＰが吊り下げられた状態において、両端に嵌着部を備えた糸状の留め具３０が取付穴１２とベルトループＬとに挿通され、盗難防止機能を発揮させることができる。また、留め具３０にＩＣタグを取り付けたりすることもできる。更に、小型（５ｃｍ〜８ｃｍ程度、数ページ）の商品説明書やアンケート用紙などを取り付けてもよい。
【００１９】
前記本体２はボール紙（板紙）で形成され、フック８Ａは樹脂で形成されている。一例としては、本体２は、スチール製切り歯が合板などに植設された打ち抜き型によりボール紙を打ち抜いて製造することができる。また、フック８Ａは、ポリエチレン樹脂、ポリプロピレン樹脂、ＡＢＳ樹脂、アクリル樹脂などが金型に入れられて形成されている。フック８Ａと本体２とは、リベット状の連結ピン１０により連結されている。
【００２０】
本体２は、ズボンＰを吊り下げた状態で手に持ったときに、しっかりとつかむことのできる大きさに形成されており、本実施例においては、幅１３ｃｍ、高さ１５ｃｍ、厚さ０．５ｃｍとなっている。
【００２１】
図２に示すズボン吊具１は、本体２の上方中央部に開孔部８Ｂを形成して掛け部８としたものの一例を示すものである。この図２中の符号で、前述のズボン吊具と同一の符号は同一部材を示している。
【００２２】
このように構成された本発明に係るズボン吊具１は、図２及び図３に示すように、掛け部８を水平方向に設けられている吊り棒Ｒに引掛けて使用される。前記吊り棒Ｒは、ズボン吊具１の掛け部８が係合して位置決めされるように溝Ｒ１が所定間隔（例えば、１０〜２０ｃｍ間隔）で設けられているので、掛け部８がフック８Ａである吊具１の場合は、着脱自在に吊り棒Ｒに複数個懸垂した状態で使用することができ、掛け部８が開孔部１０である吊具１の場合も複数個懸垂した状態で使用することができる。
【実施例２】
【００２３】
本実施例は、図４に示すように、前記ズボン吊具１の表示部２Ａに、ズボンのサイズやブランド名などが記載されたシールラベル２０Ａを貼り付けたものである。
【００２４】
前記シールラベル２０Ａは、例えば、他のラベルに付け替えることができるように比較的剥がしやすい接着剤（糊）が使用されている。また、商品自体の情報が記載されたラベルと、販促ラベルとを貼り付けたり、キャラクターシールなどを貼り付けたりしてもよい。
【実施例３】
【００２５】
本実施例は、図５に示すように、本体２の表示部２Ａに２カ所のスリット７，７を設け、このスリット７，７にラベル２０Ｂを差し入れるようにしたものである。
【００２６】
前記ラベル２０Ｂには、ズボンＰの種類やサイズ、ブランド名が記載された紙製や樹脂製のものなどが使用され、適宜交換できるようになっている。
【実施例４】
【００２７】
本実施例は、図６に示すように、本体２の上方に横方向スリット５Ｃを設けて、本体２の上部中心を鉤状に形成してフック８Ｃとしたものである。
【００２８】
前記フック８Ｃと、支持部６とは、本体２の重心を上下に通る直線Ｋ（中心線）上に設けられており、吊り部８（フック８Ｃ）を横方向に設けられている吊り棒Ｒに引掛けた状態において、ベルトループＬが水平状に支持されてズボンＰが支持部６に安定的に保持されるようになっている。
【００２９】
前記第１実施例〜第４実施例に係るズボン吊具１は、板状の本体２の上方中心部に掛け部８と、文字などの表示部２Ａとを備え、更に、本体２の下方にズボンＰのベルトループＬを吊り下げる吊り部３が設けられており、前記吊り部３は、ベルトループＬが挿通する切欠部５と、この切欠部５の下方中心部にベルトループ支持部６が形成され、更に、その支持部６より延長され先端側が上方に傾斜した掬上部４が設けられていることにより、ズボンのベルトループＬを吊り部３に引掛けるだけでズボンを吊すことができ、また、吊り部３をベルトループＬから外すだけでズボンＰを取り外すことができるので、簡便な操作でズボンＰの着脱が行えるのである。
【図面の簡単な説明】
【００３０】
【図１】本考案に係るズボン吊具の概略構成図である。
【図２】本考案に係るズボン吊具の使用状態を示す図である。
【図３】本考案に係るズボン吊具が吊り棒に複数個懸垂している状態を示す図である。
【図４】第２の実施態様に係るズボン吊具の概略構成図である。
【図５】第３の実施態様に係るズボン吊具の概略構成図である。
【図６】第４の実施態様に係るズボン吊具の概略構成図である。
【図７】本考案に係るズボン吊具の他の使用状態を示す図である。
【符号の説明】
【００３１】
１  ズボン吊具
２  本体
２Ａ  表示部
３  吊り部
４  掬上部
５  切欠部
５Ｃ  スリット
６  支持部
７  スリット
８  掛け部
８Ａ，８Ｃ  フック
８Ｂ  開孔部
１０  連結ピン
１２  取付穴
２０Ａ，２０Ｂ  ラベル
３０  留め具
Ｒ  吊り棒
Ｒ１  溝部
【図１】
0003148417.tif 000003
【図２】
0003148417.tif 000004
【図３】
0003148417.tif 000005
【図４】
0003148417.tif 000006
【図５】
0003148417.tif 000007
【図６】
0003148417.tif 000008
【図７】
0003148417.tif 000009